【事件の表示】
　特願２０１２−１３９４９０「検索語連動広告システム、そのマッチング期間最適化方法、及びコンピュータ読み取り可能な記録媒体」拒絶査定不服審判事件〔平成２５年　１月１０日出願公開、特開２０１３−　　８３６６、請求項の数（１７）〕について、次のとおり審決する。
【結　論】
　原査定を取り消す。
　本願の発明は、特許すべきものとする。
【理　由】
第１　手続の経緯
　本願は、平成２４年６月２１日の出願（パリ条約による優先権主張２０１１年６月２３日、大韓民国）であって、平成２７年１２月２２日付けで拒絶理由通知がされ、平成２８年４月５日付けで手続補正がされ、同年６月１７日付けで拒絶査定（原査定）がされ、これに対し、同年１０月２６日に拒絶査定不服審判の請求がされたものである。
　
第２　原査定の概要
　原査定（平成２８年６月１７日付け拒絶査定）の概要は次のとおりである。
　
　本願請求項１−１７に係る発明は、以下の引用文献等１−４に基づいて、その発明の属する技術の分野における通常の知識を有する者（以下、「当業者」という。）が容易に発明できたものであるから、特許法第２９条第２項の規定により特許を受けることができない。
　
引用文献等一覧
１　米国特許出願公開第２００７／０２６０５１５号明細書
２　略
３　特開２００２−８２６４１号公報（周知技術を示す文献，新たに引用された文献）
４　監査法人トーマツ，TMTインダストリーグループ編，開示情報からわかるコンテンツ企業のビジネスモデル分析，（株）中央経済社，２００７年　４月３０日，第1版，pp. 179-181（周知技術を示す文献，新たに引用された文献）
　
第３　本願発明
　本願請求項１−１７に係る発明（以下、それぞれ「本願発明１」−「本願発明１７」という。）は、平成２８年４月５日付けの手続補正で補正された特許請求の範囲の請求項１−１７に記載された事項により特定される発明であり、本願発明１は以下のとおりの発明である。
　
「【請求項１】
　設定された基本マッチング期間中に入力された検索語に基づいて検索語連動広告を決定し、その決定された検索語連動広告を露出させて広告を行う広告実行部と、
　前記広告が行われた検索語連動広告に対する履歴を格納するログ記録部と、
前記検索語連動広告が行われている状態において任意の時点でまたは周期的に前記検索語連動広告の送信量を判断し、判断された送信量に応じて、前記設定された基本マッチング期間を最適化して調節するマッチング期間調節部と、を含み、
　前記検索語連動広告の送信量が単位送信目標量を達成しない場合には前記基本マッチング期間を増加させて前記基本マッチング期間を最適化することを特徴とする検索語連動広告システム。」
　
　なお、本願発明２−１７の概要は以下のとおりである。
　
　本願発明２−８は、本願発明１を減縮した発明である。
　
　本願発明９−１６は、それぞれ本願発明１−８に対応する方法の発明であり、本願発明１−８とカテゴリ表現が異なるだけの発明である。
　
　本願発明１７は、本願発明９−１６のいずれかに対応するコンピュータ読取可能な記録媒体の発明であり、本願発明９−１６のいずれかとカテゴリ表現が異なるだけの発明である。
　
第４　引用文献、引用発明等
１．引用文献１について
　原査定の拒絶の理由に引用された上記引用文献１には、図面とともに次の事項が記載されている。
「[0022]In one embodiment of the present invention, an ad server serves advertisements (also known as #impressions#) when certain predefined events occur. For example, the ad server may serve a particular advertisement when one or more keywords associated with the particular advertisement are present in the content of a web page requested by an end-user. 
Alternatively, the ad server may serve a particular advertisement when one or more keywords associated with the advertisement are entered, or input, in a search executed by an end-user.
（仮訳：この発明の１実施例では、広告サーバは、特定の広告に関連付られた一つ又はそれ以上のキーワードがが予め決められた事象が発生する時に（インプレッションとしても知られる）広告を提供する。例えば、広告サーバは、特定の広告と結び付けられる１つ以上のキーワードがエンドユーザによってリクエストされたＷｅｂ ページの内容の中に現れるとき、その特定の広告を提供しうる。 
代わりに、広告サーバは、特定の広告と結び付けられる１つ以上のキーワードがエンドユーザによって実行される検索において入力（enter or input）されたとき、その特定の広告を提供しうる。
　
「[0026]・・・Typically, the ad server  14  will select the particular advertisement to serve based, in part, on the textual content of the content portion  26  of the web page  24 . (The textual content may include both the visual portion, as well as any meta-data that is not visible to the end-user.) Alternatively, the ad server  14  may select the particular advertisement to serve based on a keyword search performed by the end-user.」
（仮訳：・・・典型的には、広告サーバ１４は、ウエブページ２４の部分コンテンツ２６であるテキストコンテンツに、部分的には、基づいて、その特定の広告を選択するだろう。 （そのテキストコンテンツは、エンドユーザから見える部分とエンドユーザからは見えないメタデータの両方を含みうる。） 
代わりに、広告サーバ１４は、エンドユーザによって実行されたキーワード検索に基づいてその特定の広告を選択しうる。
　
「[0028]FIG. 3  illustrates a logical block diagram of an ad server  14 , according to one embodiment. An ad server  14  includes one or more of, a web server component  29 , an ad server module  30 , an advertisement pacing module  31 , an advertisement management module  32 , an advertisement pricing engine  34 , a click tracking module  36 , and a credit card processing module  38 . It will be appreciated by those skilled in the art that the various functional modules presented in  FIG. 3  may be implemented in software, hardware, or a combination thereof.・・・」
（仮訳：図３において、一つの実施形態における広告サーバ１４の論理的なブロック図が示されている。
広告サーバ１４は、
広告サーバモジュール３０、広告ペーシングモジュール３１、広告管理モジュール３２、広告価格決定エンジン３４、クリック追跡モジュール３６、
 図３で提示された種々な機能モジュールがソフトウェア、ハードウェア、あるいはそれらの組み合わせによってインプリメントされうることは、当業者によって理解されるであろう。・・・）
　
「[0036]In one embodiment, the ad server  14  includes a click tracking module  36 . The click tracking module  36  monitors when an advertisement is clicked (i.e., selected by an end user). Accordingly, when the click tracking module  36  detects a click, the advertiser's account associated with the selected advertisement, is debited a predetermined amount.」
（仮訳：一つの実施形態において、広告サーバ１４は、クリック追跡モジュール３６を含む。 
クリック追跡モジュール３６は、いつ広告がクリックされるか（すなわち、エンドユーザによって選択されるか）を監視する。
「[0038] Advertisement Pacing 
[0039] In one embodiment, the ad server  14  includes an advertisement pacing module  31 . The advertisement pacing module  31  measures or monitors the frequency/rate of the billable events of an advertiser's advertisement(s), and adjusts the rate/pace at which advertisement(s) are served, or an amount an advertiser is charged, to have the advertiser stay within a pre-set budget. 」
（仮訳：広告のペーシング
　一つの実施形態において、広告サーバ１４は、広告ペーシングモジュール３１を含む。その広告ペーシングモジュール３１は、
広告主の広告における支払請求可能な事象の頻度／割合を測定し又は監視する。そして、広告主を予め設定した予算の範囲内にとどめるように、広告が提供される割合やペース、又は広告主に課される金額を調節する
　
「[0040] For example, the pacing module, in communication with the click tracking module, determines the frequency/rate that an advertiser's advertisements are selected or that other billable events have occurred, (i.e., how many times has the advertiser been charged within a specific period of time). The pacing module, in communication with the budget analyzer module, determines whether at the current pace the advertiser is being charged, the advertiser is likely to meet or exceed their respective budget limit for a budget period.」
（仮訳：例えば、そのペーシングモジュールは、クリック追跡モジュールと通信して、広告主の広告の選択又は他の支払請求可能な事象の発生の頻度や割合（すなわち、ある特定の期間の範囲内で広告主が何度支払を求められたか）を決定する。
そのペーシングモジュールは、予算解析モジュールと通信して、現在のペースで広告主が支払を求められると彼らの予算期間におけるそれぞれの予算の上限に合致するかそれとも超えるかを決定する
　
「[0041] If the advertiser is likely to exceed their respective budget limit, the pacing module will decrease a pace of serving the advertiser's advertisement(s). In one embodiment, to decrease the pace of serving the advertiser's advertisement(s), the pacing module selects a frequency to omit serving the advertisement (e.g., once every four times the advertisement is to be served). In one embodiment, the omission of serving the advertisement is conducted randomly within a particular number of opportunities to serve the advertisement, or randomly based on a time consideration. Alternatively, the omission is conducted in a predetermined sequence (e.g., once every four times the advertisement is to be served).」
（仮訳：
広告主のそれぞれの予算の上限を超えそうである場合、ペーシングモジュールは、その広告主の広告を提供するペースを減らすだろう。
　
「[0044] In one embodiment, the pacing module will decrease an amount charged to the advertiser for the advertisements being selected or other billable events, including assessing no charge. Alternatively, the pacing module will do a combination of decreasing a pace of serving the advertisements and decreasing an amount charged to the advertiser.」
（仮訳：一つの実施形態では、ペーシングモジュールは、選択される広告や他の支払請求可能な事象について広告主に課される金額を、免除と評価することも含め、減少させるだろう。 代わりに、ペーシングモジュールは、広告提供のペースの減少と広告主に課される金額の減少を組み合わせるだろう。）
　
「[0045] The frequency of the pacing module determining whether adjustments to the pacing of advertisements delivery, or pricing, are needed, is performed intermittently based on predetermined time periods, or is performed randomly. In one embodiment, the time periods vary based on one or more factors, including, but not limited to, the time remaining for a budget period, volatility in the frequency the advertisement is selected by end-users, and an amount remaining within the budget for the budget period.」
（仮訳：ペーシングモジュールが広告配信のペースの調節と価格付のいずれが必要かを決定する頻度は、予め決められた時間間隔に基づいてまばらに行われるか、ランダムに行われるかである。一つの実施形態では、その時間間隔は、予算期間に対する残り時間、エンドユーザにより広告が選択される頻度の不安定さ、そして、予算期間の予算の範囲内で残っている金額等、一つか複数の要素に基づいて、変わる。）
　
「[0046]FIG. 4  illustrates an advertisement pacing module, including inputs and outputs, according to one embodiment. As illustrated in  FIG. 4 , the advertisement pacing module  31  receives as inputs the click rate  42  for an advertisement(s), the budget limit  44  for all clicks associated with that advertisement(s) for a budget period, and the time of day  46  or the time remaining for the present budget period.・・・.」
（仮訳：図４において、一つの実施形態における広告ペーシングモジュールが、入力と出力を含め、示されている。図４に示されるように、広告ペーシングモジュールは、ある広告についてのクリックレート４２、ある予算期間における広告に関係するすべてのクリックについての予算の上限４４、そして、日付４６若しくは現在の予算期間の残り時間を入力として受け取る。・・・）
　
「[0050] The daily budget input  44  represents an amount of funds that the advertiser has selected as the maximum amount to be debited from an account in connection with billable events for a particular ad. For example, the daily budget serves as an upper limit. In one embodiment of the invention, advertisements are not served once the daily budget has been reached.」
（仮訳：日々の予算入力４４は、ある特定の広告のための支払請求可能な事象に関連した口座から課されうる最大金額として広告主が選択した基金の金額を示す。 例えば、毎日の予算は上限として機能する。 発明の一つの実施形態では、広告は、毎日の予算に達すれば、提供されない。）
　
「[0051] An additional input for the advertisement pacing module  31  is the time of day  46 , or the time remaining within the budget period. Accordingly, the advertisement pacing module  31  utilizes the time of day to adjust the rate at which advertisements are served. In one embodiment, the advertisement pacing module increases the rate at which a particular advertisement is served based on time preferences selected by an advertiser. For example, the rate at which an advertisement related to fast food meals is served may be designated to increase around traditional meals times, such as noon.」
（仮訳：広告ペーシングモジュール３１のさらなる入力は、日付４６又は予算期間の残り時間である。それに応じて、広告ペーシングモジュール３１は、日付を広告が提供される割合を調節するために用いる。一つの実施形態では、広告ペーシングモジュールは、広告主に選ばれた時間の好みに基づいて特定の広告が提供される割合を増加する。 例えば、ファーストフードの食事に関する広告を提供する割合を正午のような伝統的な食事の時間頃に増やすようにと指示されるかもしれない。）
　
「[0052]FIG. 5  illustrates an example of the advertisement delivery distribution over time with an advertisement pacing module  31 . Line  50  represents time, or more specifically, the passing of time moving from left to right. Accordingly, the dots shown on line  52  represent billing events for an advertisement(s) (i.e., an advertisement(s) has been selected by an end-user).」
（仮訳：図５において、広告ペーシングモジュール３１における広告配信の時間的な分布の例が示されている。線５０は、時間、より特定的には、左から右への時間の経過、を表している。 それに応じて、線５２の上の点群は、ある広告（すなわち、エンドユーザにより選択された広告）のための支払請求可能なイベントを表している。）
　
「[0053] Line  54  represents the distribution of advertisement selections without an advertisement pacing module, while the line  56  represents the distribution of advertisement selections with an advertisement pacing module. As illustrated in  FIG. 5 , without an advertisement pacing module, advertisements are delivered at every opportunity, and consequently, ten advertisements are delivered consecutively after the passing of ten units of time (represented on line  50  as #time=10#). If, for example, the advertiser has established a twenty dollar daily budget, and the cost per click for the particular advertisement is two dollars, at time equal to 10 the advertiser has reached his budget limit.」
（仮訳：線５４は、広告ペーシングモジューなしでの広告選択の分布を表しており、他方、線５６は、広告配信モジュールありでの広告選択の分布を表している。 図５に示されているように、広告ペーシングモジュールなしでは、広告は、すべての機会において配信され、その結果、（#time=10#を示す線５０で表現された）１０単位の時間が経過するまでに連続して１０の広告が配信される。 例えば、もし、一日当たり２０ドルの予算を広告主が設定し、そして、その特定の広告のクリックあたり費用が２ドルであるとすると、１０に等しい時間において広告主は予算の上限に達する。）
　
「[0054] However, with an advertisement pacing module  31 , the distribution of selected advertisements is more evenly distributed over the time period. This allows the advertiser to reach his budget limit over a given period of time, while ensuring that advertisements are served over the entire period of time, not just in one short segment.」 
（仮訳：しかしながら、広告ペーシングモジュールありでは、選択された広告の配信は、その期間にわたってより均等に分散される。 これにより、広告主には、与えられた期間にわたる予算の上限に達するにしても、その単なる短い部分のみならず、その期間全体にわたって広告が提供されることが保証される。）
　
「[0055] In the example illustrated in  FIG. 5 , the advertisement pacing module  31  is being utilized to reach but not exceed the advertiser's budget limit. However, it will be appreciated by those skilled in the art, that the advertisement pacing module may be utilized to achieve other objectives as well. For example, the advertisement pacing module  31  may be utilized to ensure that an advertiser's advertisements are served only during a specific-interval of time.」
（仮訳：図５に示された例では、広告ペーシングモジュールが広告主の予算の上限を超えずに達するように用いられている。 しかしながら、広告ペーシングモジュールを同様のほかの目的の達成のために用いうることは、当業者にとっよって理解されるであろう。 例えば、広告ペーシングモジュール３１は、特定の期間の間のみ広告を提供することを確実にするために用いることができるかもしれない。）
　
「[0056]FIG. 6  illustrates a method  60 , according to one embodiment, for pacing the delivery of advertisement(s). In  FIG. 6 , at operation  60 , the rate advertisement(s) are selected by end-users is analyzed. For example, the advertisement pacing module  31  may receive click rate or other billable event information from the click tracking module  36 . Accordingly, the advertisement pacing module periodically or continuously analyzes the rate at advertisement(s)are selected, or clicked, by end-users or other billable events.」
（仮訳：図６において、一つの実施形態に従った、広告の配信のペーシングの方法６０が示されている。図６では、操作６０で、エンドユーザにより選択された広告の割合が分析される。例えば、
広告ペーシングモジュール３１は、クリック率又は他の支払請求可能な事象の情報をクリック追跡モジュール３６から受け取るかもしれない。それに応じて、広告ペーシングモジュールは、周期的に又は連続的に広告がエンドユーザにより選択され又はクリックされる割合又は他の支払請求可能な事象を分析する。
　
「[0057] At operation  64 , the advertisement pacing module determines whether the advertisement delivery rate needs to be increased or decreased to meet a predefined objective. For example, if the objective is to meet, but not exceed, an advertiser's budget limit, then the rate at which advertisements are served may need to be increased (e.g., operation  66 ) or decreased (e.g., operation  68 ) to meet the budget limit during the respective budget period. Alternatively, the amount charged for an advertisement being selected, may be adjusted to meet the budget limit. 」
（仮訳：
操作６４で、広告ペーシングモジュールは、事前に定義された目的に合致するように広告配信の割合を増加すべきか減少すべきを決定する。 例えば、もしその目的が、広告主の予算の上限を超えずに達することであれば、それぞれの予算期間の間予算の上限に合致するように広告が提供される割合は増加すべき（例、操作６６）又は減少すべき（例、操作６８）とされる。 代わりに、広告の選択について課される金額が予算の上限に合致するように調節されるかもしれない。
　
したがって、上記引用文献１には次の発明（以下、「引用発明」という。）が記載されていると認められる。
　
広告サーバモジュール、広告管理モジュール、広告価格決定エンジンを含み、
　広告サーバは、
いつ広告がクリックされるか（すなわち、エンドユーザによって選択されるか）を監視するクリック追跡モジュールを含み、（[0028]）
　広告サーバは、ある広告についてのクリックレート、ある予算期間における広告に関係するすべてのクリックについての予算の上限、そして、日付若しくは現在の予算期間の残り時間が入力され、
広告主の広告における支払請求可能な事象の頻度／割合を測定し又は監視し、広告主を予め設定した予算の範囲内にとどめるように、広告が提供される割合やペース、又は広告主に課される金額を調節する、
　広告ペーシングモジュールは、
例えば、広告主の予算の上限を超えずに達することを目的とする場合に予算期間の間予算の上限に合致するように広告が提供される割合を増加又は減少して、事前に定義された目的に合致するように広告配信の割合を増加すべきか減少すべきを決定する、（[0056][0057]等）
　広告サーバ。
　
２．引用文献２について　略
　
３．周知技術について
（１）引用文献３
「【０１６５】図１９の（２）は、広告掲出の際に広告参照数または追加情報取得またはその両方について最低数保証を行って事前に料金を支払い、それに達しなかった場合、それに達するまで広告掲出期間を延長する方法である。」
　
「【０１７７】保証された広告参照数及び追加情報取得数を超えなければ到達するまで掲出する第１のオプションでは、図３１のような料金表で、図３２のように保証された広告参照数及び追加情報取得数が超えなかったため、図３３のように掲出期間を遅長して、保証された広告参照数及び追加情報取得数に到達するまで掲出した。この例では、４／１−３０までの掲出期間であったが、５／１５まで遅長したことになる。」
　
（２）引用文献４
「（２） 媒体費について
　媒体費の料金設定は定額制と従量制の２パターンがある。一般的な料金設定はあらかじめ広告の掲載期間を定めて定額を徴収するものである。ただし，一定のページビューを保証し，一定期間内に保証された回数だけ広告が閲覧されない場合には，追加支払なく広告期間を延長する特約を設けることが多い。」（１８０頁下から３行乃至１９０頁２行）
　
第５　対比・判断
１．本願発明１について
（１）対比
　本願発明１と引用発明とを対比すると、次のことがいえる。
ア　引用発明の「入力されたキーワード」及び「キーワードに結びつけられた広告」は、それぞれ、本願発明１の「入力された検索語」及び「検索語連動広告」に相当し、引用発明は、検索語連動広告を提供するために、広告サーバモジュール、広告管理モジュール、広告価格決定エンジンを含む広告サーバであるから、本願発明１と同様の「検索語連動広告システム」であるといえる。
　さらに、引用発明においては、入力された検索語に基づいて検索語連動広告を提供するにあたって、提供される検索語連動広告が決定され、かつ、決定されて提供された検索語連動広告がエンドユーザに対し露出するから、検索語連動広告の決定に係る検索語が「設定された基本マッチング期間中に入力された」ものでないものの、本願発明１と同様の「入力された検索語に基づいて検索語連動広告を決定し、その決定された検索語連動広告を露出させて広告を行う広告実行部」を含むものである。
　
イ　引用発明の「クリック追跡モジュール」は、履歴を格納する等して広告のクリックを監視して追跡するものであるから、本願発明１の「前記広告が行われた検索語連動広告に対する履歴を格納するログ記録部」に相当する。
　
ウ　引用発明の「広告ペーシングモジュール」は、ある広告についてのクリックレート、ある予算期間における広告に関係するすべてのクリックについての予算の上限、そして、日付若しくは現在の予算期間の残り時間が入力され、
広告主の広告における支払請求可能な事象の頻度／割合を測定し又は監視し、広告主を予め設定した予算の範囲内にとどめるように、広告が提供される割合やペース、又は広告主に課される金額を調節する
例えば、広告主の予算の上限を超えずに達することを目的とする場合に予算期間の間予算の上限に合致するように広告が提供される割合を増加又は減少して、事前に定義された目的に合致するように広告配信の割合を増加すべきか減少すべきを決定する
　
　したがって、本願発明１と引用発明との間には、次の一致点、相違点があるといえる。
　
（一致点）
　入力された検索語に基づいて検索語連動広告を決定し、その決定された検索語連動広告を露出させて広告を行う広告実行部と、
　前記広告が行われた検索語連動広告に対する履歴を格納するログ記録部と、
　前記検索語連動広告が行われている状態において任意の時点でまたは周期的に前記検索語連動広告の送信量を判断し、判断された送信量に応じた調節を行う手段と、を含む、
　検索語連動広告システム。
　
（相違点）
（相違点１）本願発明１の検索語連動広告の決定は、「設定された基本マッチング期間中に」入力された検索語に基づくのに対し、引用発明の検索語連動広告の決定は、入力された検索語に基づくものの、「設定された基本マッチング期間中に」入力された検索語に基づくものではない点。
（相違点２）本願発明１では、送信量に応じた調節手段が「前記設定された基本マッチング期間を最適化して調節するマッチング期間調節部」であって、「検索語連動広告の送信量が単位送信目標量を達成しない場合には前記基本マッチング期間を増加させて前記基本マッチング期間を最適化する」。
　これに対し、引用発明では、調節の対象が「設定された基本マッチング期間」でなく「
広告が提供される割合やペース、又は広告主に課される金額
　
（２）相違点についての判断
　相違点１と相違点２は、関連するので、まとめて検討する。
　引用文献１は、「入力された検索語」に係る「基本マッチング期間」の概念を記載するものでなく、また、引用発明は、「
広告が提供される割合やペース、又は広告主に課される金額
　また、引用発明は、
事前に定義された目的に合致するように広告配信の割合を増加すべきか減少すべきを決定
事前に定義された目的
広告主を予め設定した予算の範囲内にとどめる
　この点、「第４」の「３．」に示した引用文献３及び４の記載に照らせば、本願優先日当時、広告が提供される頻度が低い場合に広告を提供する期間を延長することは周知であったと認められる。しかし、上記したとおり、そもそも引用発明は「入力された検索語」に係る「基本マッチング期間」を「設定」するものでないから、このことが周知であるとしても、引用発明において上記した変更を行うことが困難であることに変わりはない。
　よって、引用文献２に記載された技術的事項や拒絶査定において示されたや引用文献３及び引用文献４から認定される周知技術の内容がどのようなものであるにしても、引用発明から相違点１及び相違点２に係る本願発明１の構成を容易に想到することはできないのであり、本願発明１は、当業者であっても、引用発明及び引用文献２に記載された技術的事項並びに周知技術に基づいて容易に発明できたものとはいえない。
　
２．本願発明２−８について
　本願発明２−８も、本願発明１の上記相違点１乃至２に係る構成と同一の構成を備えるものであるから、本願発明１と同じ理由により、当業者であっても、引用発明及び引用文献２に記載された技術的事項並びに周知技術に基づいて容易に発明できたものとはいえない。
　
３．本願発明４−６について
　本願発明９−１６は、本願発明１−８に対応する方法の発明であり、また、本願発明１７は、本願発明９−１６のいずれかに対応するコンピュータ読取可能な記録媒体の発明であるから、いずれも、本願発明１の上記相違点１乃至２に係る構成に対応する構成を備えるものである。
　したがって、本願発明１と同様の理由により、当業者であっても、引用発明及び引用文献２に記載された技術的事項並びに周知技術に基づいて容易に発明できたものとはいえない。
　
第６　むすび
　以上のとおり、本願発明１−１７は、当業者が引用発明及び引用文献２に記載された技術的事項並びに周知技術に基づいて容易に発明をすることができたものではない。したがって、原査定の理由によっては、本願を拒絶することはできない。
　また、他に本願を拒絶すべき理由を発見しない。
　よって、結論のとおり審決する。